(57)【要約】【課題】遊技の趣向性を向上させることが可能な弾球遊技機の提供を目的とする。【解決手段】本発明のパチンコ遊技機１０では、可動舌片２３０がサイド始動入賞口４０Ａの奥側に退避したときに、回動扉２２０がサイド始動入賞口４０Ａを閉塞して遊技球の入球を規制する一方、可動舌片２３０がサイド始動入賞口４０Ａより前側に突出して遊技球を受け止め可能になったときに、回動扉２２０がサイド始動入賞口４０Ａを開放し、可動舌片２３０を案内にした遊技球の入球が許容されるので、従来にない動作で新鮮味を遊技者に与えて、趣向性を高めることができる。しかも、サイド始動入賞口４０Ａが閉まった状態では、可動舌片２３０の扉用ストッパ部２４１Ｊが、回動扉２２０の扉回動突部２２４と可動舌片２３０の進退方向と直交する方向で対向し、回動扉２２０の開放側への回動を規制するので、回動扉２２０不正な開放を防ぐことができる。【選択図】図１７
2011050444.tif 000002
【特許請求の範囲】
【請求項１】
遊技球が流下する遊技板の前面に開放した前面開放入賞口と、
前記前面開放入賞口を前端部に備えた遊技球導入孔と、
突片状をなして、前記遊技球導入孔の下端部で前後方向に直動して前端作動位置と後端退避位置との間を往復動し、前記前端作動位置に配置されたときには、前記前面開放入賞口から前方に突出して、前記遊技板の前面を流下する遊技球を受け止めて前記遊技球導入孔内に取り込み可能になる一方、前記後端退避位置に配置されたときには、前記前面開放入賞口の奥側に退避して、その前面開放入賞口の前を遊技球が素通り可能な状態にする可動舌片と、
前記可動舌片を直動させるための駆動装置と、
前記遊技球導入孔内で前記可動舌片の上方に配置されて、前記遊技板の前面と平行かつ水平な回動軸を中心に回動し、前記可動舌片が前記後端退避位置に配置されたときに、前記前面開放入賞口を閉塞する閉塞端位置に位置する一方、前記可動舌片が前記前端作動位置に配置されたときに、前記前面開放入賞口を開放する開放端位置に位置するように前記可動舌片に対して連動する回動扉と、
前記回動扉と一体に回動する扉回動突部と、
前記可動舌片と一体に直動し、前記可動舌片が前記後端退避位置に配置されたときに、前記扉回動突部に対して上下方向で対向して、前記回動扉が前記開放端位置側に回動することを規制する一方、前記可動舌片が前記後端退避位置から前記前端作動位置に向かって移動する間に、前記扉回動突部に対して上下方向で対向する位置から外れて、前記回動扉が前記開放端位置側に回動することを許容する扉用ストッパ部とを備えたことを特徴とする弾球遊技機。
【請求項２】
前記可動舌片と一体に直動し、前記閉塞端位置の前記回動扉における前記扉回動突部を、前記可動舌片が前記後端退避位置から前記前端作動位置に移動するときに後側から押圧して、前記回動扉を前記開放端位置へと回動させる開放押圧部と、
前記可動舌片に一体に直動しかつ前記開放押圧部より前側に配置され、前記開放端位置の前記回動扉における前記扉回動突部を、前記可動舌片が前記前端作動位置から前記後端退避位置に移動するときに前側から押圧して、前記回動扉を前記閉塞端位置へと回動させる閉塞押圧部とを備え、
前記扉用ストッパを前記可動舌片のうち前記閉塞押圧部より前側に配置したことを特徴とする請求項１に記載の弾球遊技機。
【請求項３】
前記閉塞端位置の前記回動扉の前記扉回動突部と前記開放押圧部との間には、前記可動舌片が前進を開始して一部が前記前面開放入賞口から突出した前向き中間位置に到るまで、前記扉回動突部と前記開放押圧部とを当接させないための第１の空間が設けられ、前記可動舌片が前記前向き中間位置より前進したときに前記開放押圧部による前記扉回動突部の押圧が開始されるようにしたことを特徴とする請求項２に記載の弾球遊技機。
【請求項４】
前記開放端位置の前記回動扉における前記扉回動突部と前記閉塞押圧部との間には、前記可動舌片が後退を開始して前記可動舌片のうち前記前面開放入賞口から突出した部分の一部又は全体が前記前面開放入賞口内に移動した後向き中間位置に到るまで、前記扉回動突部と前記閉塞押圧部とを当接させないための第２の空間が設けられ、前記可動舌片が前記後向き中間位置より後退したときに前記閉塞押圧部による前記扉回動突部の押圧が開始されるようにしたことを特徴とする請求項２又は３に記載の弾球遊技機。
【請求項５】
前記可動舌片の上面における側部には、上方に向かって突出した前側押圧突部と、前記前側押圧突部の後側に間隔を空けて配置されかつ前記前側押圧突部より高く突出した後側押圧突部とが備えられ、
前記後側押圧突部の前面が前記開放押圧部をなし、
前記前側押圧突部の後面が前記閉塞押圧部をなすと共に、前記前側押圧突部の上面が前記扉用ストッパ部をなしたことを特徴とする請求項２乃至４の何れか１の請求項に記載の弾球遊技機。
【請求項６】
前記回動扉のうちその回動方向における前記扉回動突部の隣には、前記回動扉が前記開放端位置側に回動したときに前記後側押圧突部の上面に当接して前記回動扉を前記開放端位置に位置決めするための位置決め当接部が備えられていることを特徴とする請求項５に記載の弾球遊技機。
【請求項７】
前記扉回動突部を、前記回動扉の両側部に対にして設けると共に、前記前側押圧突部及び前記後側押圧突部を、前記可動舌片の上面における両側部に対にして設けたことを特徴とする請求項５又は６に記載の弾球遊技機。
【請求項８】
前記可動舌片の上面における両側部には、前記前側押圧突部より前側部分に、両側方に向かって下るように傾斜した１対の外下り傾斜面が形成されると共に、前記可動舌片の上面のうち前記１対の外下り傾斜面の間には、後方に向かって下るように傾斜した引き込み傾斜面が形成されていることを特徴とする請求項７に記載の弾球遊技機。
【請求項９】
前記引き込み傾斜面は、前記可動舌片の横幅方向の中央に向かって下るように傾斜していることを特徴とする請求項８に記載の弾球遊技機。
【請求項１０】
遊技球が前面を流下する遊技板を前後に貫通した遊技球導入孔と、
前記遊技球導入孔の前端に設けられて、前記遊技板の前面に開放した前面開放入賞口と、
突片状をなして、前記遊技球導入孔の下端部で前後方向に直動して前端作動位置と後端退避位置との間を往復動し、前記前端作動位置に配置されたときには、前記前面開放入賞口から前方に突出し、前記遊技板の前面を流下する遊技球を受け止めて前記遊技球導入孔内に取り込み可能な状態にする一方、前記後端退避位置に配置されたときには、前記前面開放入賞口の奥側に退避して、その前面開放入賞口の前を遊技球が素通り可能な状態にする可動舌片と、
前記可動舌片を直動させるための駆動装置と、
前記遊技球導入孔内で前記可動舌片の上方に配置されて、前記前面開放入賞口を開放する開放端位置と、前記前面開放入賞口を閉塞する閉塞端位置との間を回動する回動扉と、
前記回動扉と一体に回動する扉回動突部と、
前記可動舌片と一体に直動し、前記閉塞端位置の前記回動扉における前記扉回動突部を、前記可動舌片が前記後端退避位置から前記前端作動位置に移動するときに後側から押圧して、前記回動扉を前記開放端位置へと回動させる開放押圧部と、
前記可動舌片と一体に直動しかつ前記開放押圧部より前側に配置され、前記開放端位置の前記回動扉における前記扉回動突部を、前記可動舌片が前記前端作動位置から前記後端退避位置に移動するときに前側から押圧して、前記回動扉を前記閉塞端位置へと回動させる閉塞押圧部とを備え、
前記閉塞端位置の前記回動扉の前記扉回動突部と前記開放押圧部との間には、前記可動舌片が前進を開始して一部が前記前面開放入賞口から突出した前向き中間位置に到るまで、前記扉回動突部と前記開放押圧部とを当接させないための第１の空間が設けられ、前記可動舌片が前記前向き中間位置より前進したときに前記開放押圧部による前記扉回動突部の押圧が開始されるように構成したことを特徴とする弾球遊技機。
【請求項１１】
前記駆動装置には、直動駆動源と、
前記遊技板の後面側に配置されて、前記直動駆動源によって前後方向に直動される直動部材と、
前記遊技板の前面と平行かつ水平な回動軸を中心に回動し、一端部が前記直動部材に連結されると共に、前記回動軸を挟んで前記一端部とは反対側の他端部が前記可動舌片に連結され、前記直動部材の直動に伴い前記可動舌片を前記前端作動位置と前記後端退避位置との間で直動させるシーソー部材とが備えられ、
前記直動部材がその直動ストロークの前端位置から弾球遊技機後方に移動したときに、前記シーソー部材の他端部が弾球遊技機前方に回動して前記可動舌片を前記後端退避位置から前記前端作動位置に向けて押し出す一方、
前記直動部材がその直動ストロークの後端位置から弾球遊技機前方に移動したときに、前記シーソー部材の他端部が弾球遊技機後方に回動して前記可動舌片を前記前端作動位置から前記後端退避位置に向けて引き込むように構成され、
前記可動舌片のうち、前記シーソー部材の他端部が弾球遊技機後方に回動した場合に、前記シーソー部材の他端部が押圧しかつ摺接する後側摺接面には、前記可動舌片が前記後端退避位置に位置する状態から、前記可動舌片が前記入賞口の前方に引っ張られた場合に、前記シーソー部材の他端部の摺接を禁止するシーソー用ストッパ部が設けられたことを特徴とする請求項１乃至１０の何れか１の請求項に記載の弾球遊技機。
【請求項１２】
前記回動扉は、回動に伴う重心移動により前記開放端位置及び前記閉塞端位置とに保持されるように構成したことを特徴とする請求項１乃至１１の何れか１の請求項に記載の弾球遊技機。
【請求項１３】
前記回動扉には、前記閉塞端位置で前記前面開放入賞口を介して前側に臨む扉主体壁と、前記扉主体壁の上端部から後方に直角曲げされた入賞補助壁と、前記扉主体壁と前記入賞補助壁との両側端部に直交して、それら前記扉主体壁及び前記入賞補助壁の内側空間を両側方から覆った１対の側部壁とが備えられ、
前記扉主体壁の内面は、前記回動扉が前記開放端位置から前記閉塞端位置に移動する過程で前記可動舌片上の遊技球を前記前面開放入賞口の奥側に掻き込むことが可能な誘導面になっていることを特徴とする請求項１乃至１２の何れか１の請求項に記載の弾球遊技機。
【請求項１４】
前記扉回動突部は、前記回動扉の前記側部壁を回転軸を挟んで前記扉主体壁と反対側に延長してなることを特徴とする請求項１３に記載の弾球遊技機。
【発明の詳細な説明】
【技術分野】
【０００１】
本発明は、入賞口への遊技球の入賞を規制した状態と、その規制を解除した状態とに切り替え可能な弾球遊技機に関する。
【背景技術】
【０００２】
従来、この種の弾球遊技機として、所謂、チューリップ型の入賞口や大当たり用の大入賞口を備えたものが知られている。チューリップ型の入賞口は、上方を向いて開放すると共に左右両側に可動翼片を備え、通常は、可動翼が起立状態になって遊技球の入賞が規制される一方、その規制を解除するように可動翼片が側方に回動して倒れ、可動翼片を案内にして遊技球を取り込む構造になっている。また、大当たり用の大入賞口は、前方を向いて開放した横長の長方形をなすと共にその下辺を中心に回動可能な回動扉を備え、通常は、回動扉が起立して遊技球の入球が規制される一方、その規制を解除するように回動扉が斜め前側に倒れ、可動翼片を案内にして遊技球を取り込む構造になっている（例えば、特許文献１参照）。
【先行技術文献】
【特許文献】
【０００３】
【特許文献１】特開２００３−３４００２０号公報（［００３４］、第６図）
【発明の概要】
【発明が解決しようとする課題】
【０００４】
しかしながら、上述した可動翼片を備えたチューリップ型入賞口や大入賞口は、登場してから久しいので新鮮味に欠け、遊技の趣向性を低下させていた。
【０００５】
本発明は、上記事情に鑑みてなされたもので、遊技の趣向性を向上させることが可能な弾球遊技機の提供を目的とする。
【課題を解決するための手段】
【０００６】
上記目的を達成するためになされた請求項１の発明に係る弾球遊技機は、遊技球が流下する遊技板の前面に開放した前面開放入賞口と、前面開放入賞口を前端部に備えた遊技球導入孔と、突片状をなして、遊技球導入孔の下端部で前後方向に直動して前端作動位置と後端退避位置との間を往復動し、前端作動位置に配置されたときには、前面開放入賞口から前方に突出して、遊技板の前面を流下する遊技球を受け止めて遊技球導入孔内に取り込み可能になる一方、後端退避位置に配置されたときには、前面開放入賞口の奥側に退避して、その前面開放入賞口の前を遊技球が素通り可能な状態にする可動舌片と、可動舌片を直動させるための駆動装置と、遊技球導入孔内で可動舌片の上方に配置されて、遊技板の前面と平行かつ水平な回動軸を中心に回動し、可動舌片が後端退避位置に配置されたときに、前面開放入賞口を閉塞する閉塞端位置に位置する一方、可動舌片が前端作動位置に配置されたときに、前面開放入賞口を開放する開放端位置に位置するように可動舌片に対して連動する回動扉と、回動扉と一体に回動する扉回動突部と、可動舌片と一体に直動し、可動舌片が後端退避位置に配置されたときに、扉回動突部に対して上下方向で対向して、回動扉が開放端位置側に回動することを規制する一方、可動舌片が後端退避位置から前端作動位置に向かって移動する間に、扉回動突部に対して上下方向で対向する位置から外れて、回動扉が開放端位置側に回動することを許容する扉用ストッパ部とを備えたところに特徴を有する。
【０００７】
請求項２の発明は、請求項１に記載の弾球遊技機において、可動舌片と一体に直動し、閉塞端位置の回動扉における扉回動突部を、可動舌片が後端退避位置から前端作動位置に移動するときに後側から押圧して、回動扉を開放端位置へと回動させる開放押圧部と、可動舌片に一体に直動しかつ開放押圧部より前側に配置され、開放端位置の回動扉における扉回動突部を、可動舌片が前端作動位置から後端退避位置に移動するときに前側から押圧して、回動扉を閉塞端位置へと回動させる閉塞押圧部とを備え、扉用ストッパを可動舌片のうち閉塞押圧部より前側に配置したところに特徴を有する。
【０００８】
請求項３の発明は、請求項２に記載の弾球遊技機において、閉塞端位置の回動扉の扉回動突部と開放押圧部との間には、可動舌片が前進を開始して一部が前面開放入賞口から突出した前向き中間位置に到るまで、扉回動突部と開放押圧部とを当接させないための第１の空間が設けられ、可動舌片が前向き中間位置より前進したときに開放押圧部による扉回動突部の押圧が開始されるようにしたところに特徴を有する。
【０００９】
請求項４の発明は、請求項２又は３に記載の弾球遊技機において、開放端位置の回動扉における扉回動突部と閉塞押圧部との間には、可動舌片が後退を開始して可動舌片のうち前面開放入賞口から突出した部分の一部又は全体が前面開放入賞口内に移動した後向き中間位置に到るまで、扉回動突部と閉塞押圧部とを当接させないための第２の空間が設けられ、可動舌片が後向き中間位置より後退したときに閉塞押圧部による扉回動突部の押圧が開始されるようにしたところに特徴を有する。
【００１０】
請求項５の発明は、請求項２乃至４の何れか１の請求項に記載の弾球遊技機において、可動舌片の上面における側部には、上方に向かって突出した前側押圧突部と、前側押圧突部の後側に間隔を空けて配置されかつ前側押圧突部より高く突出した後側押圧突部とが備えられ、後側押圧突部の前面が開放押圧部をなし、前側押圧突部の後面が閉塞押圧部をなすと共に、前側押圧突部の上面が扉用ストッパ部をなしたところに特徴を有する。
【００１１】
請求項６の発明は、請求項５に記載の弾球遊技機において、回動扉のうちその回動方向における扉回動突部の隣には、回動扉が開放端位置側に回動したときに後側押圧突部の上面に当接して回動扉を開放端位置に位置決めするための位置決め当接部が備えられているところに特徴を有する。
【００１２】
請求項７の発明は、請求項５又は６に記載の弾球遊技機において、扉回動突部を、回動扉の両側部に対にして設けると共に、前側押圧突部及び後側押圧突部を、可動舌片の上面における両側部に対にして設けたところに特徴を有する。
【００１３】
請求項８の発明は、請求項７に記載の弾球遊技機において、可動舌片の上面における両側部には、前側押圧突部より前側部分に、両側方に向かって下るように傾斜した１対の外下り傾斜面が形成されると共に、可動舌片の上面のうち１対の外下り傾斜面の間には、後方に向かって下るように傾斜した引き込み傾斜面が形成されているところに特徴を有する。
【００１４】
請求項９の発明は、請求項８に記載の弾球遊技機において、引き込み傾斜面は、可動舌片の横幅方向の中央に向かって下るように傾斜しているところに特徴を有する。
【００１５】
請求項１０の発明に係る弾球遊技機は、遊技球が流下する遊技板の前面に開放した前面開放入賞口と、前面開放入賞口を前端部に備えた遊技球導入孔と、突片状をなして、遊技球導入孔の下端部で前後方向に直動して前端作動位置と後端退避位置との間を往復動し、前端作動位置に配置されたときには、前面開放入賞口から前方に突出し、遊技板の前面を流下する遊技球を受け止めて遊技球導入孔内に取り込み可能な状態にする一方、後端退避位置に配置されたときには、前面開放入賞口の奥側に退避して、その前面開放入賞口の前を遊技球が素通り可能な状態にする可動舌片と、可動舌片を直動させるための駆動装置と、遊技球導入孔内で可動舌片の上方に配置されて、前面開放入賞口を開放する開放端位置と、前面開放入賞口を閉塞する閉塞端位置との間を回動する回動扉と、回動扉と一体に回動する扉回動突部と、可動舌片と一体に直動し、閉塞端位置の回動扉における扉回動突部を、可動舌片が後端退避位置から前端作動位置に移動するときに後側から押圧して、回動扉を開放端位置へと回動させる開放押圧部と、可動舌片と一体に直動しかつ開放押圧部より前側に配置され、開放端位置の回動扉における扉回動突部を、可動舌片が前端作動位置から後端退避位置に移動するときに前側から押圧して、回動扉を閉塞端位置へと回動させる閉塞押圧部とを備え、閉塞端位置の回動扉における扉回動突部と開放押圧部との間に第１の空間を、可動舌片が後端退避位置から前進して前面開放入賞口から一部が突出する中間位置で開放押圧部による扉回動突部の押圧が開始されるように設けたところに特徴を有する。
【００１６】
請求項１１の発明は、請求項１乃至１０の何れか１の請求項に記載の弾球遊技機において、駆動装置には、直動駆動源と、遊技板の後面側に配置されて、直動駆動源によって前後方向に直動される直動部材と、遊技板の前面と平行かつ水平な回動軸を中心に回動し、一端部が直動部材に連結されると共に、回動軸を挟んで一端部とは反対側の他端部が可動舌片に連結され、直動部材の直動に伴い可動舌片を前端作動位置と後端退避位置との間で直動させるシーソー部材とが備えられ、直動部材がその直動ストロークの前端位置から弾球遊技機後方に移動したときに、シーソー部材の他端部が弾球遊技機前方に回動して可動舌片を後端退避位置から前端作動位置に向けて押し出す一方、直動部材がその直動ストロークの後端位置から弾球遊技機前方に移動したときに、シーソー部材の他端部が弾球遊技機後方に回動して可動舌片を前端作動位置から後端退避位置に向けて引き込むように構成され、可動舌片のうち、シーソー部材の他端部が弾球遊技機後方に回動した場合に、シーソー部材の他端部が押圧しかつ摺接する後側摺接面には、可動舌片が後端退避位置に位置する状態から、可動舌片が入賞口の前方に引っ張られた場合に、シーソー部材の他端部の摺接を禁止するシーソー用ストッパ部が設けられたところに特徴を有する。
【００１７】
請求項１２の発明は、請求項１乃至１１の何れか１の請求項に記載の弾球遊技機において、回動扉は、回動に伴う重心移動により開放端位置及び閉塞端位置とに保持されるように構成したところに特徴を有する。
【００１８】
請求項１３の発明は、請求項１乃至１２の何れか１の請求項に記載の弾球遊技機において、回動扉には、閉塞端位置で前面開放入賞口を介して前側に臨む扉主体壁と、扉主体壁の上端部から後方に直角曲げされた入賞補助壁と、扉主体壁と入賞補助壁との両側端部に直交して、それら扉主体壁及び入賞補助壁の内側空間を両側方から覆った１対の側部壁とが備えられ、扉主体壁の内面は、回動扉が開放端位置から閉塞端位置に移動する過程で可動舌片上の遊技球を前面開放入賞口の奥側に掻き込むことが可能な誘導面になっているところに特徴を有する。
【００１９】
請求項１４の発明は、請求項１３に記載の弾球遊技機において、扉回動突部は、回動扉の側部壁を回転軸を挟んで扉主体壁と反対側に延長してなるところに特徴を有する。
【発明の効果】
【００２０】
［請求項１の発明］
請求項１の弾球遊技機は、前面開放入賞口を前端に有した遊技球導入孔内で、可動舌片が直動する一方、回動扉が回動するという、直動部位と回動部位とを備えた新規な構造になっている。そして、可動舌片が前面開放入賞口の奥側に退避して、前面開放入賞口の前方を遊技球が素通り可能な状態になったときに、回動扉が前面開放入賞口を閉塞して遊技球の入賞を規制する一方、可動舌片が前面開放入賞口より前側に前進して流下した遊技球を受け止め可能になったときに、回動扉が前面開放入賞口を開放し、可動舌片を案内にした遊技球の入賞を許容する。即ち、本発明の弾球遊技機では、回動扉が前面開放入賞口を開放したときに、従来のように開いた回動扉を案内にするのではなく、可動舌片を案内にして遊技球を前面開放入賞口に取り込むという、今までにない動作で遊技球を前面開放入賞口に取り込むことができる。
このように、本発明の弾球遊技機によれば、今までにない新鮮な動作を経て遊技球を前面開放入賞口に入賞させることができ、遊技の趣向性を向上させることが可能になる。これに加え、本発明の弾球遊技機では、回動扉の不正な開放を確実に防止することができる。即ち、本発明の構成によれば、可動舌片が前面開放入賞口の奥側に配置され、回動扉が前面開放入賞口を閉塞した状態で、可動舌片の扉用ストッパ部が、その可動方向と直交する上下方向で回動扉の扉回動突部と対向して回動扉の開動作を規制するので、回動扉に不正な外力が加えられたときに、可動舌片の扉用ストッパ部は、その可動方向と直交する方向で不正な外力を受け止めることができる。これにより、扉用ストッパ部は、可動方向に動かされずに、回動扉の不正な開放を確実に防止することができる。なお、可動舌片が前進したとき、扉用ストッパ部と扉回動突部とが上下方向で対向しなくなり、回動扉の開動作が許容される。
【００２１】
［請求項２，５，６，７，８及び９の発明］
請求項２の弾球遊技機では、可動舌片が前面開放入賞口の前側に突出し、回動扉が開いた状態から可動舌片が後退するときに、可動舌片の閉塞押圧部が、回動扉の扉回動突部を前側から押圧して回動扉を閉じ、さらに、可動舌片が後退して扉用ストッパが回動扉の扉回動突部と上下方向で対向する。一方、可動舌片が前面開放入賞口の奥側に退避し、回動扉が閉じた状態から可動舌片が前進するときに、可動舌片が扉用ストッパを通過してから、可動舌片の開放押圧部が回動扉の扉回動突部を後側から押圧して回動扉を開く。このように、本発明の構成によれば、可動舌片を直動させる動力を利用して、回動扉を回動させることができると共に、回動扉を閉じてから不正開放を禁止した状態にスムーズに移行することができる。
【００２２】
ここで、開放押圧部、閉塞押圧部及び扉用ストッパを備えるために、例えば、可動舌片を上下方向に貫通した貫通孔を設けて、その貫通孔における対向面を開放押圧部及び閉塞押圧部とし、貫通孔より前側の上面を扉用ストッパとしてもよいし、請求項５の発明のように、可動舌片から上方に突出した前側押圧突部及び後側押圧突部を設けて、後側押圧突部の前面を開放押圧部とし、前側押圧突部の後面が閉塞押圧部としてもよい。この場合、回動扉に設けた位置決め当接部が、後側押圧突部の上面に当接して回動扉を開放端位置に位置決めする構成とすれば（請求項６の発明）、回動扉の過度の開放を防ぎ、回動扉の開閉動作を安定させることができる。
【００２３】
また、扉回動突部を対にして設けると共に、前側押圧突部及び後側押圧突部も、可動舌片の上面における両側部に対をなして設けた構成にすれば（請求項７の発明）、扉回動突部、前側押圧突部及び後側押圧突部への負荷が分散され、耐久性を向上させることができる。
【００２４】
さらに、可動舌片の上面における両側部に１対の外下り傾斜面を形成すると共に、それら１対の外下り傾斜面の間には、後方に向かって下るように傾斜した引き込み傾斜面を形成すれば（請求項８の発明）、可動舌片は前面開放入賞口への遊技球のガイドばかりではなく、外下り傾斜面によって前面開放入賞口から遊技球が外れるようにガイドすることもでき、遊技の趣向性が向上する。また、その引き込み傾斜面を可動舌片の横幅方向の中央に向かって下るように傾斜させれば（請求項９の発明）、一度、引き込み傾斜面上に載った遊技球が可動舌片からこぼれ落ちるのを防ぐことができる。
【００２５】
［請求項３の発明］
請求項３の構成では、閉塞端位置の回動扉の扉回動突部と開放押圧部との間に第１の空間を設けたことで、可動舌片が前進を開始して一部が前面開放入賞口から突出した前向き中間位置に到るまでは、開放押圧部は第１の空間を移動することになり、この間、回動扉は閉じた状態に維持される。そして、可動舌片が前向き中間位置を通過して前進したときに開放押圧部による扉回動突部の押圧が開始されて、可動舌片の前進に伴って回動扉が開く。このように、本発明によれば、可動舌片が前進を開始して途中までは回動扉が停止していて、途中から回動扉が開き始めるという、今までにはない２ステップの新鮮な動作で前面開放入賞口を開くことができ、これにより趣向性を向上させることができる。
【００２６】
［請求項４の発明］
請求項４の構成では、開放端位置の回動扉の扉回動突部と閉塞押圧部との間に第２の空間を設けたことで、可動舌片が後退を開始して一部又は全体が前面開放入賞口内に移動した後向き中間位置に到るまでは、閉塞押圧部は第２の空間を移動することになり、この間、回動扉は開いた状態に維持される。そして、可動舌片が後向き中間位置を通過して後退したときに閉塞押圧部による扉回動突部の押圧が開始されて、可動舌片の後退に伴って回動扉が閉じる。このように、本発明によれば、可動舌片が後退を開始して途中までは回動扉が停止していて、途中から回動扉が閉じ始めるという、今までにはない２ステップの新鮮な動作で前面開放入賞口を閉じることができ、これにより趣向性を向上させることができる。
【００２７】
［請求項１０の発明］
請求項１０の弾球遊技機は、前面開放入賞口を前端に有した遊技球導入孔内で、可動舌片が直動する一方、回動扉が回動するという、直動部位と回動部位とを備えた新規な構造になっている。そして、可動舌片が前面開放入賞口の奥側に退避して、前面開放入賞口の前方を遊技球が素通り可能な状態になったときに、回動扉が前面開放入賞口を閉塞して遊技球の入賞を規制する一方、可動舌片が前面開放入賞口より前側に前進して流下した遊技球を受け止め可能になったときに、回動扉が前面開放入賞口を開放し、可動舌片を案内にした遊技球の入賞を許容する。即ち、本発明の弾球遊技機では、回動扉が前面開放入賞口を開放したときに、従来のように開いた回動扉を案内にするのではなく、可動舌片を案内にして遊技球を前面開放入賞口に取り込むという、今までにない動作で遊技球を前面開放入賞口に取り込むことができる。
このように、本発明の弾球遊技機によれば、今までにない新鮮な動作を経て遊技球を前面開放入賞口に入賞させることができ、遊技の趣向性を向上させることが可能になる。これに加え、本発明の弾球遊技機では、閉塞端位置の回動扉の扉回動突部と開放押圧部との間に第１の空間を設けたことで、可動舌片が前進を開始して一部が前面開放入賞口から突出した前向き中間位置に到るまでは、開放押圧部は第１の空間を移動することになり、この間、回動扉は閉じた状態に維持される。そして、可動舌片が前向き中間位置を通過して前進したときに開放押圧部による扉回動突部の押圧が開始されて、可動舌片の前進に伴って回動扉が開く。このように、本発明によれば、可動舌片が前進を開始して途中までは回動扉が停止していて、途中から回動扉が開き始めるという、今までにはない２ステップの新鮮な動作で前面開放入賞口を開くことができ、この点においても趣向性を向上させることができる。
【００２８】
［請求項１１の発明］
請求項１１の弾球遊技機では、可動舌片が後端退避位置に位置する状態から前面開放入賞口の前方に引っ張られた場合に、可動舌片に備えたシーソー用ストッパ突部が、シーソー部材の他端部と後側摺接面との摺接を禁じるから、可動舌片が前方に移動することが不可能となり、前面開放入賞口から突出させることができなくなる。これにより、可動舌片を前面開放入賞口から引っ張り出して、その可動舌片により遊技球を入球させるという不正を防止することができる。
【００２９】
［請求項１２の発明］
請求項１２の弾球遊技機では、回動扉をその重心移動により開放端位置と閉塞端位置とに保持することができる。
【００３０】
［請求項１３の発明］
請求項１３の弾球遊技機では、回動扉が開放端位置から閉塞端位置に移動する過程で可動舌片上の遊技球を、回動扉の誘導面によって前面開放入賞口の奥側に掻き込むことで、遊技者を楽しませることができる。
【００３１】
［請求項１４の発明］
請求項１４の発明によれば、扉回動突部が回動扉の側部壁に一体に形成して、回動扉を簡易な構成にすることが可能になる。
【図面の簡単な説明】
【００３２】
【図１】本発明の一実施形態に係るパチンコ遊技機の正面図
【図２】パチンコ遊技機の後面図
【図３】枠体ベースと入賞機構ユニットの斜視図
【図４】入賞機構ユニットの分解斜視図
【図５】可動舌片の斜視図
【図６】可動舌片の正面図
【図７】可動舌片の上面図
【図８】可動舌片のＡ−Ａ断面図
【図９】シーソー部材の斜視図
【図１０】入賞機構ユニットの斜視図
【図１１】入賞機構ユニットの正面図
【図１２】可動舌片が後端退避位置に位置するときの入賞機構ユニット内部の側面図
【図１３】可動舌片が後端退避位置に位置するときの入賞機構ユニット内部のＢ−Ｂ断面図
【図１４】可動舌片が前端作動位置に向かって移動する途中の入賞機構ユニット内部の（Ａ）Ｂ−Ｂ断面図、（Ｂ）Ｃ−Ｃ断面図
【図１５】可動舌片が前端作動位置に向かって移動する途中の入賞機構ユニット内部の側面図
【図１６】可動舌片が前端作動位置に位置するときの入賞機構ユニット内部のＢ−Ｂ断面図
【図１７】可動舌片が後端退避位置に位置するときの回動扉の開閉状態を示す側断面図
【図１８】可動舌片が前進するときの回動扉の開閉状態を示す側断面図
【図１９】可動舌片が前端作動位置に位置するときの回動扉の開閉状態を示す側断面図
【図２０】可動舌片が後退するときの回動扉の開閉状態を示す側断面図
【図２１】入賞機構ユニットの分解斜視図
【図２２】シーソー部材と後側摺接面との摺接状態を示す側面図
【図２３】回動扉の斜視図
【図２４】サイド始動入賞口の斜視図
【図２５】変形例に係る斜視図
【図２６】変形例に係る側断面図
【発明を実施するための形態】
【００３３】
［第１実施形態］
以下、本発明を適用したパチンコ遊技機１０に係る一実施形態を、図１〜図２４に基づいて説明する。図１に示すように、本実施形態の遊技板１０の遊技板１１には、略円形の遊技領域Ｒ１が設けられ、遊技領域Ｒ１は周囲をガイドレール１２によって囲まれている。遊技板１１は前側を前面枠１０Ｚにて覆われ、その前面枠１０Ｚには、遊技領域Ｒ１に対応した略円形のガラス窓１０Ｗが設けられている。そして、そのガラス窓１０Ｗを通して遊技領域Ｒ１が視認可能になっている。前面枠１０Ｚのうちガラス窓１０Ｗの上方には左右に１対のスピーカ２５Ｓ，２５Ｓが設けられ、ガラス窓１０Ｗより下方には、上皿２７Ａ及び下皿２７Ｂが上下２段にして設けられている。そして、前面枠１０Ｚの右下角部に備えた操作ノブ２８を回動操作すると、上皿２７Ａに収容された遊技球が、ガイドレール１２に沿って発射され、遊技領域Ｒ１へと送り込まれる。なお、上皿２７Ａに備えた図示しない球抜きボタンを押すと上皿２７Ａに収容されていた遊技球が下皿２７Ｂへと移動する。また、下皿２７Ｂの下方に容器（所謂、ドル箱）を配置して下皿２７Ｂに備えた球抜きレバー２７Ｃを押すと下皿２７Ｂに収容されていた遊技球が容器へと移動する。
【００３４】
遊技領域Ｒ１の中央には、表示窓３４Ｗが貫通形成され、その表示窓３４Ｗの奥部には液晶表示画面３４が備えられている。また、表示窓３４Ｗの縁部には、遊技板１１の前面側から表示枠体２３が装着されている。この表示枠体２３は、図３に示した枠体ベース２３Ｂに複数の部品を組み合わせてなる。
【００３５】
枠体ベース２３Ｂの側面からは、略全体に亘って取付壁２３Ｆが張り出している。取付壁２３Ｆには、点在した複数位置にビス孔２３Ｅが貫通形成されている。そして、遊技板１１に形成された表示開口（図示せず）の開口縁に取付壁２３Ｆを重ねた状態にして、ビス孔２３Ｅに挿通したビスを遊技板１１に締め付けて固定されている。なお、取付壁２３Ｆの外縁部には傾斜面が形成され、遊技球が取付壁２３Ｆにスムーズに乗り上がるようになっている。
【００３６】
枠体ベース２３Ｂのうち上辺部分及び両側辺部分には、取付壁２３Ｆより前方に突出して遊技球が液晶表示画面３４の前側を通過することを規制する進入規制突部２３Ａが備えられている。また、枠体ベース２３Ｂの上辺部分には左右方向の中央に段差部２３Ｄが設けられ、その段差部２３Ｄより右側が高くなっている。
【００３７】
枠体ベース２３Ｂの上辺部分のうち段差部２３Ｄより左側部分においては、進入規制突部２３Ａの外側面が、左側方に向かって緩やかに傾斜しかつ、途中から湾曲しながら略鉛直下方に向かっている。一方、枠体ベース２３Ｂのうち段差部２３Ｄより右側部分においては、進入規制突部２３Ａの外側面が、ガイドレール１２との間に遊技球略１．５個分の間隔を開けて、そのガイドレール１２と同心の略円弧を描いて延び、途中で鉛直下方に屈曲している。
【００３８】
図１に示すように、表示枠体２３の左辺部分における上下方向の中間部から下端寄り位置に亘る範囲には、ワープ樋３９が設けられている。ワープ樋３９の上端は、表示枠体２３の外側面に開口した入賞口３９Ａになっている。そして、入賞口３９Ａに入球した遊技球は、表示枠体２３を通過して次述するステージ２３Ｓの上面に排出される。
【００３９】
表示枠体２３の下辺部分の内側上面には、遊技球が転動可能なステージ２３Ｓが設けられている。ステージ２３Ｓは、表示枠体２３の奥行き方向で２段になっており、前段部が後段部より低くなっている。また、ステージ２３Ｓの前段部における左右方向の中央には誘導ワープ口２３Ｙが陥没形成され、ここに進入した遊技球は、中央始動入賞口１４の真上に設けた排出口２３Ｚから表示枠体２３の外に排出される。
【００４０】
表示枠体２３のうち右側部分の進入規制突部２３Ａの外側面には、上下方向の中間部分から下端寄り位置に亘る範囲に、入賞樋３７が設けられている。入賞樋３７の上端は、進入規制突部２３Ａの外側面に開口したサイド大入賞口３７Ａになっており、そのサイド大入賞口３７Ａは、通常は、サイドメイン可動扉３７Ｔによって閉塞されている。そのサイドメイン可動扉３７Ｔは、サイド大入賞口３７Ａの下端部を中心にして回動可能になっており、所定の条件が成立したときに、側方に倒れるように回動して傾斜姿勢になり、サイド大入賞口３７Ａを開放すると共にサイド大入賞口３７Ａに遊技球を案内する。
【００４１】
入賞樋３７は、サイド大入賞口３７Ａから下方に延びかつ表示窓３４Ｗの奥側に直角曲げされて透視ケース３８に繋がっている。透視ケース３８は、透明な樹脂で構成され、ステージ２３Ｓにおける右側端部に配置されている（図１参照）。透視ケース３８の内部には、遊技球１個分が通過可能な幅の通路が設けられ、その通路内の下面に２つの入賞口（ともに図示せず）が横並びに備えられている。これら入賞口のうち一方の入賞口は常時開放されているが、他方の入賞口は規制片（図示せず）によって開閉されるようになっていて、入賞樋３７に遊技球が入球すると、その遊技球が何れかの入賞口に入球するようになっている。そして、これらの入賞口の何れかに遊技球が１つ入球する度に、例えば、１５個の遊技球が上皿２７Ａに払い出される。以下、本明細書では、規制片によって開閉される入賞口を継続入賞口と呼ぶことにする。
【００４２】
遊技領域Ｒ１のうち表示枠体２３の下方における左右方向の中央部には、図１に示すように、中央始動入賞口１４、中央大入賞口１５及びアウト口１６が上から順番に並べて設けられ、左右の両側部には、ガイドレール１２に沿って一般入賞口２０，２１及びサイドランプ２２がそれぞれ設けられている。そして、中央始動入賞口１４、中央大入賞口１５、一般入賞口２０，２１及びアウト口１６に入球した遊技球は、遊技板１１の裏側に取り込まれ、中央始動入賞口１４、中央大入賞口１５及び一般入賞口２０，２１の奥部に備えた図示しない検出スイッチによって、遊技球の入球が検出される。
【００４３】
中央大入賞口１５は、横長矩形に形成されて、常には、中央可動扉１５Ｔにて閉塞されている。そして、所定の条件が成立したときに中央可動扉１５Ｔが下縁部を中心に回動して斜め前側に開き、その中央可動扉１５Ｔを案内にして中央大入賞口１５に多くの遊技球が入球可能となる。また、中央大入賞口１５の内部には、計数入賞口（図示せず）が設けられている。中央可動扉１５Ｔが開いたときには、計数入賞口で遊技球の通過を検出して中央大入賞口１５に入球した遊技球数を計数している。また、計数入賞口に遊技球が１つ入球する度に、例えば、１５個の遊技球が上皿２７Ａに払い出される。
【００４４】
中央始動入賞口１４及び一般入賞口２０，２１は、所謂、ポケット構造をなし、遊技球が丁度１つ入球可能な大きさで上方に開口している。また、中央始動入賞口１４及び一般入賞口２０，２１に遊技球が１つ入球する度に、例えば、４個の賞球が上皿２７Ａに払い出される。
【００４５】
図１に示すように、遊技領域Ｒ１のうち表示枠体２３の右側の側方領域には、上端部に、進入規制突部２３Ａとガイドレール１２とに挟まれた関所部Ｒ２が設けられている。関所部Ｒ２は、遊技球が１つ通過可能な幅になっている。また、表示枠体２３の右側の側方領域は、関所部Ｒ２から上下方向の中間部までは、ガイドレール１２の側方への膨出形状に従って下方に向かって徐々に横幅が広くなり、上下方向の中間部より下側が下方に向かって徐々に横幅が狭くなっている。そして、表示枠体２３の右側の側方領域のうち上下方向で最も横幅が広くなった領域に臨むように前記したサイド大入賞口３７Ａが配置されている。
【００４６】
表示枠体２３の右側の側方領域のうちサイド大入賞口３７Ａを開閉する前記サイドメイン可動扉３７Ｔの回動範囲と関所部Ｒ２との間には、始動ゲート１８が設けられている。始動ゲート１８は、内側を遊技球が通過可能な門形構造をなし、内側を通過した遊技球は始動ゲート１８に内蔵されたゲートスイッチ（図示せず）によって検出される。
【００４７】
図３に示すように、枠体ベース２３Ｂの右下部分には、斜め下方に向かって扇形状に張り出した右サイドベース部２４が設けられている。そして、その上側部分のうち、サイドメイン可動扉３７Ｔ（図１参照）の回動領域の下方位置には、遊技球導入孔４０が貫通形成され、その遊技球導入孔４０の前端部分にサイド始動入賞口４０Ａ（本発明に係る「前面開放入賞口」に相当する）が備えられている。サイド始動入賞口４０Ａは、１対のゲート支柱４０Ｇ，４０Ｇ（図３参照）に挟まれた部位の真下に配置され、前方に向かって遊技板１１の前面に開口している。なお、図２４に示すように、１対のゲート支柱４０Ｇ，４０Ｇは、遊技球が丁度１つ通過可能な間隔に配置され、その中間部には、サイド始動入賞口４０Ａの上端縁から上方に向かって延びるゲート突状４０Ｔが形成されている。
【００４８】
サイド始動入賞口４０Ａの内部には、サイド始動入賞口４０Ａを開閉する回動扉２２０と、サイド始動入賞口４０Ａの下面に沿って前後に進退する可動舌片２３０が設けられている。回動扉２２０は通常はサイド始動入賞口４０Ａを閉塞し、可動舌片２３０は、通常は、サイド始動入賞口４０Ａ内、即ち、遊技板１１の前面より後方に配置されている。そして、所定の条件が成立すると、回動扉２２０が開くと共に可動舌片２３０が遊技板１１の前面より前方に突出し、ゲート支柱４０Ｇ，４０Ｇの内部を通過した遊技球を受け止めてサイド始動入賞口４０Ａに取り込む。サイド始動入賞口４０Ａに入賞した遊技球は、サイド始動入賞口４０Ａの奥部に備えた検出スイッチ２８０によって検出され、サイド始動入賞口４０Ａに遊技球が１つ入球する度に、例えば、４個の賞球が上皿２７Ａに払い出される。本実施形態では、回動扉２２０、可動舌片２３０及び検出スイッチ２８０は、図１０に示した入賞機構ユニット２００の一部として構成されている。そして、この入賞機構ユニット２００が、右サイドベース部２４に後側から取り付けられている（図３参照）。サイド始動入賞口４０Ａ及び入賞機構ユニット２００の詳細形状については、後に説明する。
【００４９】
右サイドベース部２４のうちサイド始動入賞口４０Ａより下方には、右側サイド誘導部２４Ｒが設けられている。右側サイド誘導部２４Ｒは、全体が略三角形の枠体をなして遊技板１１の前面から突出している。また、右側サイド誘導部２４Ｒには、上方を向くと共に遊技領域Ｒ１の左右方向の中央に向かって滑らかかつ緩やかな角度で傾斜したサブ誘導面２４Ｖが備えられている。具体的には、サブ誘導面２４Ｖは、水平面に対して例えば５度の傾斜角で遊技領域Ｒ１の左右方向の中央に向かって下るように傾斜している。また、右サイドベース部２４の右側部は、ガイドレール１２に対応した円弧状をなしてガイドレール１２に隣接しており、右サイドベース部２４とガイドレール１２との間を遊技球が通過しないようになっている。
【００５０】
図１に示すように、遊技領域Ｒ１のうち表示枠体２３の左側の側方領域には、下寄り位置に風車１９が設けられている。風車１９は、遊技板１１から起立した支軸（図示せず）に回転可能に支持され、遊技球が衝突して自在に回転する。その風車１９の下方には、複数（例えば、１０個）のＬＥＤを有した保留数表示部３６と７セグメントＬＥＤで構成された普通図柄表示部３６Ｆとが設けられている。
【００５１】
図２に示すように、遊技板１１の後面には、主制御基板３２Ａ及び従制御基板３２Ｂが取り付けられている。そして、これら制御基板によって前記した液晶表示画面３４の表示画像や、遊技の当否確率の変更等の制御を行っている。また、主制御基板３２Ａの下方には、電源基板３２Ｆ、払出制御基板３２Ｌが取り付けられている。
【００５２】
さて、本実施形態のパチンコ遊技機１０では、上記した中央始動入賞口１４、始動ゲート１８、サイド始動入賞口４０Ａに遊技球が入球すると以下の３種類の抽選が行われ、遊技者を楽しませることができる。
【００５３】
具体的には、１種類目の抽選として、中央始動入賞口１４に遊技球が入球する度に、「第１の大当たり遊技」を実行するか否かの当否判定が行われ、その当否判定の結果が、液晶表示画面３４に表示される。液晶表示画面３４には、通常、３つの左、中、右の特別図柄１３Ａ，１３Ｂ，１３Ｃが横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが停止表示されている。そして、中央始動入賞口１４に遊技球が入球して当否判定が行われたときに、これら３つの特別図柄１３Ａ，１３Ｂ，１３Ｃが、上下方向にスクロール表示（変動表示）され、所定時間後に、例えば、左、右、中の順で各特別図柄１３Ａ，１３Ｂ，１３Ｃが停止表示される。このとき、遊技の当否判定の結果が「大当たり」であれば、例えば全ての特別図柄１３Ａ，１３Ｂ，１３Ｃが同じ図柄、即ち、ぞろ目になる。
【００５４】
液晶表示画面３４において特別図柄１３Ａ，１３Ｂ，１３Ｃが変動表示又は「大当たり状態」の最中に中央始動入賞口１４に入球した場合、その入賞球は保留球として最大で４個まで記憶され、その保留記憶数（保留球数）が、前記した保留数表示部３６の上側半分のＬＥＤを使用して表示される。そして、特別図柄１３Ａ，１３Ｂ，１３Ｃが停止表示又は「大当たり状態」が終了すると、その保留記憶数が１つ減らされて再び、特別図柄１３Ａ，１３Ｂ，１３Ｃが変動表示されてから停止表示されて、遊技の当否判定結果が表示される。ここで、大当たりになる確率は例えば１／３９９に設定されている。なお、遊技の当否判定の結果が「大当たり」であれば、中央大入賞口１５の中央可動扉１５Ｔを所定期間に亘って開く。
【００５５】
このように、中央始動入賞口１４に遊技球が入球したときに、単に中央大入賞口１５を開くのではなく、中央大入賞口１５を開くか否かの当否判定を行い、当たりの場合に、中央可動扉１５Ｔを開いて中央大入賞口１５を所定期間に亘って開くので、その当否判定によって遊技者を楽しませることができる。そして、中央始動入賞口１４に遊技球が入球するか否かに興味を持たせることができ、中央始動入賞口１４に遊技球が入球した後は、中央大入賞口１５に遊技球が入球するか否かに興味を持たせることができる。
【００５６】
２種類目の抽選として、始動ゲート１８の内側を遊技球が通過する度に、前記した可動舌片２３０を作動させるか否かの予備当否判定が行われ、その予備当否判定の結果が、普通図柄表示部３６Ｆに表示される。具体的には、始動ゲート１８の内側を遊技球が通過すると、普通図柄表示部３６Ｆに、「０」〜「９」までの数字からなる数字図柄が所定期間に亘って変動表示された後、所定の数字図柄が停止表示される。このとき停止表示された数字が奇数の場合には、「当たり」となり、偶数の場合には「外れ」になる。ここで、当たりになる確率は例えば９９／１００に設定されている。
【００５７】
そして、予備当否判定の結果が当たりになると、所定期間（例えば、０．０８８秒間）に亘って可動舌片２３０が前進して、それに従動して回動扉２２０が開き、サイド始動入賞口４０Ａに遊技球が入球可能になる。
【００５８】
なお、普通図柄表示部３６Ｆにおいて数字図柄が変動表示又は「当たり状態」の最中に始動ゲート１８の内側を遊技球が通過した場合、その入賞球は保留球として最大で４個まで記憶され、その保留記憶数（保留球数）が、前記した保留数表示部３６の下側半分のＬＥＤを使用して表示される。そして、数字図柄が停止表示又は「当たり状態」が終了すると、その保留記憶数が１つ減らされて再び、数字図柄が変動表示してから停止表示されて、予備当否判定結果が表示される。
【００５９】
このように、サイド始動入賞口４０Ａは、通常は閉塞しており、遊技球が始動ゲート１８の内側を通過したことを起因にして遊技球が入球可能となるので、始動ゲート１８の内側を遊技球が通過するか否かに興味を持たせることができ、始動ゲート１８の内側を遊技球が通過した後は、サイド始動入賞口４０Ａに遊技球が入球するか否かに興味を持たせることができる。しかも、始動ゲート１８の内側を遊技球が通過したときに、単にサイド始動入賞口４０Ａを開くのではなく、サイド始動入賞口４０Ａを開くか否かの当否判定を行い、当たりの場合に、回動扉２２０を開き可動舌片２３０を突出させてサイド始動入賞口４０Ａを所定期間に亘って開くので、その当否判定によって遊技者を楽しませることができる。
【００６０】
３種類目の抽選として、サイド始動入賞口４０Ａに遊技球が入球する度に、「第２の大当たり遊技」を実行するか否かの判定が行われ、その判定の結果が、液晶表示画面３４に表示される。液晶表示画面３４における判定の表示方法は、上記した「第１の大当たり遊技」の当否判定結果の表示方法と同様であり、特別図柄１３Ａ，１３Ｂ，１３Ｃに対する装飾用の色彩、模様等や、液晶表示画面３４における特別図柄１３Ａ，１３Ｂ，１３Ｃの背景画等は、「第１の大当たり遊技」の当否判定結果の場合と異なっている。ここで、大当たりになる確率は１／３９９、小当たりになる確率は、３９８／３９９に設定されている。即ち、サイド始動入賞口４０Ａに遊技球が入球すると、大当たりか小当たりが当たる。遊技の判定の結果が「大当たり」であれば、中央大入賞口１５の中央可動扉１５Ｔを所定期間に亘って開く。なお、液晶表示画面３４において特別図柄１３Ａ，１３Ｂ，１３Ｃが変動表示又は「大当たり状態」の最中にサイド始動入賞口４０Ａに入球した場合、その入賞球は保留されない。
【００６１】
ここで、遊技の判定の結果が小当たりになると、サイド大入賞口３７Ａにおけるサイドメイン可動扉３７Ｔが開放され、サイドメイン可動扉３７Ｔの開放から約１秒後に前記した透明ケース３８内の継続入賞口が０．３８８秒開放する。ここで、サイドメイン可動扉３７Ｔが開放してから閉じるまでの間を「ラウンド」と称すると、１つのラウンドは、サイドメイン可動扉３７Ｔの開放時間が１．６秒に達した場合に終了する。また、「小当たり状態」（サイドメイン可動扉３７Ｔの開放動作）は、最大で、例えば１６ラウンドまで継続される。そして、「小当たり状態」終了後、２５／５０（時短中は４１／５０）の確率で「時短状態」になるように設定されている。なお、サイド大入賞口３７Ａに入球した遊技球が継続入賞口に入球しなかった場合はその１回目のラウンドで終了し、継続入賞口に入球した場合は次のラウンドからサイドメイン可動扉３７Ｔの開閉を行わずに「大当たり状態」となって中央大入賞口１５の中央可動扉１５Ｔを所定期間に亘って開閉して残りのラウンド（例えば１５ラウンド）が実行される。
【００６２】
このように、サイド大入賞口３７Ａのサイドメイン可動扉３７Ｔは、通常は閉塞しており、遊技球がサイド始動入賞口４０Ａに入球したことを起因にして遊技球が入球可能となるので、サイド始動入賞口４０Ａに遊技球が入球するか否かに興味を持たせることができる。しかも、サイド始動入賞口４０Ａに遊技球が入球した場合には、サイド大入賞口３７Ａのサイドメイン可動扉３７Ｔを開くか中央大入賞口１５の中央可動扉１５Ｔを開くかの判定を行い、小当たりの場合にサイドメイン可動扉３７Ｔを所定期間に亘って開き、大当たりの場合に中央可動扉１５Ｔを所定期間に亘って開くので、その判定によって遊技者を楽しませることができる。即ち、サイド始動入賞口４０Ａに遊技球が入球した後は、中央大入賞口１５又はサイド大入賞口３７Ａに遊技球が入球するか否かに興味を持たせることができる。
【００６３】
さらには、サイド大入賞口３７Ａに遊技球が入球したことを起因に、中央大入賞口１５の中央可動扉１５Ｔを所定期間に亘って開くので、サイド大入賞口３７Ａに遊技球が入球するか否かに興味を持たせることができ、サイド大入賞口３７Ａに遊技球が入球した後は、中央大入賞口１５に遊技球が入球するか否かに興味を持たせることができる。
【００６４】
上記したように、中央大入賞口１５は、中央可動扉１５Ｔによって開閉されるように構成され、中央大入賞口１５の上側に設けた中央始動入賞口１４に遊技球が入球してその当否判定が当たりとなった場合と、サイド始動入賞口４０Ａに遊技球が入球してその判定が大当たり（第２の当たり）となった場合に、中央大入賞口１５の中央可動扉１５Ｔが所定期間に亘って開放される。ここで、中央可動扉１５Ｔが開放してから閉じるまでの間を「ラウンド」と称すると、例えば１つのラウンドは、中央可動扉１５Ｔの開放時間が所定時間（３０秒）に達したか、又は、中央大入賞口１５に遊技球が所定個数（１０個）入球したかの何れかの条件が先に満たされた場合に終了する。また、「大当たり状態」（中央可動扉１５Ｔの開放動作）は、最大で、例えば１５ラウンドまで継続される。そして、「大当たり状態」終了後、２５／５０（時短中は４１／５０）の確率で「時短状態」になるように設定されている。
【００６５】
「時短状態」になると、回動扉２２０の開放秒数及び可動舌片２３０の前進秒数が、例えば通常状態の０．０８８秒から１．７秒へと長くなり、それらの回数も１回から３回と増える遊技が行われる。「時短状態」である有利な状態が持続されることにより、「時短状態」中は、サイド始動入賞口４０Ａへ入球し易くなることから通常遊技状態よりも賞球を得やすくなり、持ち球の減りを抑制する状態になる。そして、持ち球を減らすことを抑制しつつ次の大当たりまで遊技を行うことができる。
【００６６】
さて次に、前記したサイド始動入賞口４０Ａ及び入賞機構ユニット２００について詳説する。図２４に示すように、サイド始動入賞口４０Ａは、前述の如く枠体ベース２３Ｂの右サイドベース部２４に貫通形成され、四角形の下端側を段付き状に幅広にした形状をなしている。また、サイド始動入賞口４０Ａのうち上端側の幅狭部分の幅は、遊技球が丁度１つ通過可能な大きさをなし、上端側の幅狭部分の高さは遊技球の直径より若干小さくなっている。
【００６７】
入賞機構ユニット２００は、図２１に示すように、第１と第２のハウジング構成体２１１，２１５に分解可能な樹脂ハウジング２１０の内部に、可動舌片２３０、回動扉２２０、シーソー部材２５０等を収容して備えている。そして、その第１ハウジング構成体２１１は、右サイドベース部２４の後面に一体形成されて、サイド始動入賞口４０Ａの周囲を囲む位置から後方に突出した包囲壁２１１Ｈを有している。包囲壁２１１Ｈは、左右対称形状をなし、上下両面と左右の両面とが平行になっていると共に、上下方向の中間部が段付き状に幅狭になっている。これにより、包囲壁２１１Ｈは、上下方向で、上段幅広部２１１Ａ、中段幅狭部２１１Ｂ、下段幅広部２１１Ｃとに分かれている。そして、サイド始動入賞口４０Ａにおける上側の幅狭部分が中段幅狭部２１１Ｂから下段幅広部２１１Ｃの上端に亘る範囲の内側に配置され、サイド始動入賞口４０Ａにおける下側の幅広部分が下段幅広部２１１Ｃの内側に配置されている。また、包囲壁２１１Ｈは、中段幅狭部２１１Ｂの上下方向の中央から上方部分は、後方へ比較的大きく突出した第１フード部２１１Ｆになっている。また、中段幅狭部２１１Ｂのうち第１フード部２１１Ｆより下側部分の後端面は、円弧状に切り欠かれた軸受け部２１４，２１４になっている。さらに、下段幅広部２１１Ｃの下端部は、突片状に突出した中間壁部２１３になっていて、包囲壁２１１Ｈのうち中間壁部２１３との間は、後方への突出が比較的小さい接合凹部２１１Ｋになっている。なお、包囲壁２１１Ｈの下方には、中間壁部２１３の一部を共有した略角筒状のスイッチ前端収容筒部２１１Ｍが連設されている。
【００６８】
第２ハウジング構成体２１５は、前後方向に延び上下方向に偏平になった略角筒状の第２フード部２１５Ｋの下面に、その第２フード部２１５Ｋより幅狭でかつ前後に短い略角筒状のスイッチ後端収容筒部２１５Ｍを一体形成して備えると共に、第２フード部２１５Ｋの上面に門形突部２１６を一体形成して備えた構造になっている。また、それら門形突部２１６及びスイッチ後端収容筒部２１５Ｍは、第２フード部２１５Ｋの前後方向における中間部に配置されている。また、門形突部２１６の下端部の前面には、円弧状に切り欠かれた軸受け部２１０Ｙが形成されている。そして、第２ハウジング構成体２１５の門形突部２１６、第２フード部２１５Ｋ、スイッチ後端収容筒部２１５Ｍの各前端面が、第１ハウジング構成体２１１の第１フード部２１１Ｆ、接合凹部２１１Ｋ、スイッチ前端収容筒部２１１Ｍの後端面にそれぞれ接合した状態で、門形突部２１６の両側部に備えた１対の固定片２１７，２１７を、第１フード部２１１Ｆの両側部に備えた１対の固定用支柱２１２，２１２にビス止めして、第１と第２のハウジング構成体２１１，２１５が合体した状態に固定されている。
【００６９】
上記した接合凹部２１１Ｋと第２フード部２１５Ｋの接合により樹脂ハウジング２１０には舌片収容部２１５Ａが形成されると共に、上記したスイッチ前端収容筒部２１１Ｍとスイッチ後端収容筒部２１５Ｍの接合により樹脂ハウジング２１０にはスイッチ収容部２１５Ｂが形成されている。また、第１と第２のハウジング構成体２１１，２１５同士を固定するためのビスを利用して、門形突部２１６の上面にはソレノイド２７０が固定され、これにより、第１フード部２１１Ｆの上面が塞がれて樹脂ハウジング２１０にプランジャ直動部屋２１５Ｃ（図１０参照）が形成されている。
【００７０】
ソレノイド２７０は金属フレーム２７２の内側に励磁用コイル２７０Ｃを備えてなり、ソレノイド２７０における励磁用コイル２７０Ｃの中心には、所定のストロークで前後方向に直動するプランジャ２７４（図４参照。本発明の「直動部材」に相当する）が挿入されており、そのプランジャ２７４のうち励磁用コイル２７０Ｃから突出した先端部には、側方に張り出したフランジ部２７４Ｆ（図４参照）が形成されている。
【００７１】
プランジャ２７４には、プランジャ２７４と次述するシーソー部材２５０の一端部とを連結するための連結補助部材２７５が取り付けられている。連結補助部材２７５は、プランジャ２７４の外側に遊嵌されたリング部２７５Ａからフランジ部２７４Ｆに向かって１対の円弧壁２７５Ｂ，２７５Ｂが突出した構造をなしている（図４参照）。そして、プランジャ２７４の外側に巻回された金属製の圧縮コイルバネ２７６が、連結補助部材２７５におけるリング部２７５Ａとソレノイド２７０の前端面との間に突っ張り状態にして備えられ、連結補助部材２７５の円弧壁２７５Ｂ，２７５Ｂが圧縮コイルバネ２７６によってプランジャ２７４のフランジ部２７４Ｆに押し付けられている。リング部２７５Ａと１対の円弧壁２７５Ｂ，２７５Ｂ及びプランジャ２７４のフランジ部２７４Ｆとで囲まれた部分は、矩形の陥没凹所２７７，２７７（図１４参照。同図には一方の陥没凹所２７７のみが示されている）となっており、ここにシーソー部材２５０の上端部が連結されている。
【００７２】
なお、ソレノイド２７０は、励磁用コイル２７０Ｃの励磁により圧縮コイルバネ２７６に抗してプランジャ２７４を吸引する（図１６の状態）。そして、励磁が停止されると圧縮コイルバネ２７６の付勢力によってプランジャ２７４がソレノイド２７０から突出する（図１２，１３の状態）。
【００７３】
シーソー部材２５０は、遊技板１１と平行かつ水平な回動軸を中心に回動可能となっている。図９に示すように、シーソー部材２５０は、水平方向で対向した１対の連結アーム２５１，２５１の上端部間を連絡壁２５２で連結した門形構造をなしている。１対の連結アーム２５１，２５１のうち上端寄り部分の外側面からは、相反する方向に１対の回動軸部２５３，２５３が突出している。そして、これら回動軸部２５３，２５３が、前記した第２ハウジング構成体２１５の軸受け部２１０Ｙ，２１０Ｙに受容され、第１と第２のハウジング構成体２１１，２１５の接合によって抜け止めされている。
【００７４】
シーソー部材２５０のうち、回動軸部２５３，２５３より上端側位置には、１対の上端連結凸部２５４，２５４が設けられている。１対の上端連結凸部２５４，２５４は、１対の連結アーム２５１，２５１の向かい合った内側面から互いに接近するように突出しており、円柱状をなしている。これら上端連結凸部２５４，２５４の先端部が、プランジャ２７４に備えられた陥没凹所２７７，２７７に凹凸係合している。これにより、プランジャ２７４の前後方向への直動に連動してシーソー部材２５０が回動軸部２５３，２５３を中心にして回動可能となっている（図１７〜図２０参照）。
【００７５】
図１４（Ｂ）に示すように、シーソー部材２５０の連絡壁２５２は、上端連結凸部２５４，２５４及び回動軸部２５３，２５３より前側に設けられている。そして、シーソー部材２５０は、回動軸部２５３，２５３より前方に配された連絡壁２５２が錘となって、シーソー部材２５０の上端部が遊技機前方に向かって回動する方向（図１４における反時計回り方向）に回動付勢されている。また、連絡壁２５２の後面２５４Ｍの下辺には、プランジャ２７４側（後方）に向かって僅かに突出した三角突条２５７が設けられている。
【００７６】
シーソー部材２５０における１対の連結アーム２５１，２５１のうち、回動軸部２５３，２５３を挟んで上端連結凸部２５４，２５４とは反対側の下端部には、１対の下端連結凸部２５５，２５５が設けられている（図９参照）。１対の下端連結凸部２５５，２５５は、１対の連結アーム２５１，２５１の外側面から側方に突出して回動軸部２５３，２５３と平行になっている。
【００７７】
下端連結凸部２５５，２５５には、ストッパ凹部２５８，２５８が形成されている。ストッパ凹部２５８，２５８は、例えば、下端連結凸部２５５を構成する円柱体の外周面に陥没形成されており、円柱体の軸方向に沿って延びた断面Ｌ字形の溝形構造になっている。具体的には、図２２に示すように、ストッパ凹部２５８は、互いに交差した第１平面Ｍ１と第２平面Ｍ２とで構成されている。第１平面Ｍ１は、回動軸部２５３から下端連結凸部２５５に向かって延びる方向と直交し、第１平面Ｍ１の中心と回動軸部２５３の中心とを結ぶ直線が第１平面Ｍ１とほぼ直交している。また、第２平面Ｍ２は、第１平面Ｍ１と直交し、遊技機後方側を向いている。そして、これら下端連結凸部２５５，２５５によって、シーソー部材２５０と後述する可動舌片２３０との間が連結している。
【００７８】
回動扉２２０は、シーソー部材２５０と同様に、遊技板１１と平行かつ水平な回動軸を中心に回動可能となっている。図２３に示すように、回動扉２２０は、水平方向で対向した１対の側部壁２２１，２２１の間を、サイド始動入賞口４０Ａを開閉するシャッター部２２２で連絡してなる。１対の対向壁２２１，２２１の外側面からは、相反する方向に１対の回動軸部２２３，２２３が突出している。そして、これら回動軸部２２３，２２３が、前記した第２ハウジング構成体２１５の軸受け部２１４，２１４に受容され、第１と第２のハウジング構成体２１１，２１５の接合によって抜け止めされている。
【００７９】
図１７に示すように、シャッター部２２２は、回動軸部２２３，２２３と直交する断面が略「く」の字に湾曲し、回動扉２２０がサイド始動入賞口４０Ａを閉鎖した状態のときに前側に位置して略鉛直に起立する扉主体壁２２２Ａと、この状態で扉主体壁２２２の上端部から後方に向かって延びる入賞補助壁２２２Ｂとからなっている。扉主体壁２２２Ａは、遊技球の噛み込みを防止するために断面Ｖ字形になっている。また、扉主体壁２２２Ａは、回動軸部２２３，２２３から離れて位置し、回動扉２２０が開放した状態から閉じた状態へと回動するにつれて、略水平な状態から前方に回動して略鉛直に起立した状態になる（図１３、図１６参照）。入賞補助壁２２２Ｂは、回動扉２２０が開放した状態で、サイド始動入賞口４０Ａの奥側へ向かって下るように傾斜している。
【００８０】
また、シャッター部２２２の幅はサイド始動入賞口４０Ａの横幅よりも若干狭くなっている一方、１対の側部壁２２１，２２１の幅はサイド始動入賞口４０Ａの横幅よりも広くなっている（図１１参照）。そして、回動扉２２０が完全に閉じた状態では、側部壁２２１の前面がサイド始動入賞口４０Ａの側縁部と当接して、回動扉２２０がさらにサイド始動入賞口４０Ａを閉鎖する側へ回動するのを防いでいる。
【００８１】
１対の側部壁２２１，２２１のうち、回動軸部２２３，２２３を挟んでシャッター部２２２とは反対側にはそれぞれ扉回動突部２２４，２２４が設けられている。また、側部壁２２１，２２１には、回動扉２２０が完全に開放した開放端位置にあるときに扉回動突部２２４の後方に位置すると共に下方に突出した位置決め当接部２２５，２２５（図１６参照。同図には一方のみが示されている）が形成されている。
【００８２】
樹脂ハウジング２１０の上記したスイッチ収容部２１５Ｂには、検出センサ２８０が収容されている。検出センサ２８０は、図３に示すように、偏平な直方体状をなし、その後端部には上下方向に遊技球通過孔２８１が貫通形成されている。その遊技球通過孔２８１に対応してスイッチ収容部２１５Ｂの上下の両面には、貫通孔が形成されていて、舌片収容部２１５Ａに進入した遊技球が遊技球通過孔２８１を通過してスイッチ収容部２１５Ｂの下方に移動するようになっている。なお、スイッチ収容部２１５Ｂの下方には、遊技球を取り込んで遊技場の球循環システムに案内する図示しないダクトが備えられている。
【００８３】
樹脂ハウジング２１０の舌片収容部２１５Ａには、可動舌片２３０に収容されている。図５に示すように、可動舌片２３０は、前後方向に対して横幅方向が短くかつ上下方向に薄くなった扁平構造をなし、舌片収容部２１５Ａの内面に摺接しながら前後にスライドするように支持されている。
【００８４】
図７に示すように、可動舌片２３０は上方から見ると、左右対称な形状をなし、その前端部（図７における下側端部）には、全体より段付き状に幅狭になった出没突片部２４０が備えられている。そして、出没突片部２４０は、遊技球の直径より若干幅広で、サイド始動入賞口４０Ａの下側幅広部分に挿通可能な幅になっている。
【００８５】
出没突片部２４０の上面のうち、横幅方向の両側部には、両側方に向かって下るように傾斜した１対の外下り傾斜面２４０Ｓ，２４０Ｓが形成されている（図６参照）。また、出没突片部２４０のうち１対の外下り傾斜面２４０Ｓ、２４０Ｓの間には、中央に向かうに従って下るように極緩やかに傾斜すると共に後方に向かって下るように緩やかに傾斜した引き込み傾斜面２４０Ｈが形成されている（図６，８参照）。さらに、出没突片部２４０の上面には、引き込み傾斜面２４０Ｈの後端から後方に向かって比較的急峻に下っている誘導傾斜面２４０Ｙが形成されている。
【００８６】
図７に示すように、可動舌片２３０は上方から見た場合の出没突片部２４０より後側部分は、略四角形のベース部２３２の後端部における幅方向の中央からは台形突部２３１Ｄを後方に突出した形状になっている。そして、ベース部２３１の幅方向の中央には、前端位置から後端位置に亘って球通過長孔２３８が上下に貫通形成されている。球通過長孔２３８は、遊技球が１つ丁度通過可能でかつ出没突片部２４０の幅より若干小さい幅になっている。また、球通過長孔２３８の前端部は半円形になって一部が出没突片部２４０の基端部まで達し、球通過長孔２３８の後端部は、台形突部２３１Ｄの底辺と平行になってベース部２３１の後端寄り位置に達している。
【００８７】
可動舌片２３０のうち出没突片部２４０の基端部からベース部２３１の前後方向に中間位置に亘った範囲には、球通過長孔２３８の両側縁部に沿って上下方向に延びた１対の扉駆動突壁２３３，２３３が突出形成されている。そして、ベース部２３１のうち扉駆動突壁２３３より後側部分全体が、扉駆動突壁２３３の後端部上面と面一の上面を有するように上下方向に厚くなった動力受部２３０Ｐになっている。
【００８８】
動力受部２３０Ｐのうち球通過長孔２３８を挟んで対向した対向内側面には、１対の連結凹部２３４，２３４が陥没形成されている。各連結凹部２３４は、下端側が窄んだ略三角形の干渉回避凹部２３５と、その干渉回避凹部２３５のうち球通過長孔２３８から離れた側の奥面に陥没形成されて上下方向に延びた係合溝部２３６とからなる。係合溝部２３６のうち前側に配置された前側摺接面２３６Ａは、上下方向に真っ直ぐ延びている。係合溝部２３６のうち後側に配置された後側摺接面２３６Ｂは、上下方向の中間位置より下側部分が前方に張り出し、本発明に係るシーソー用ストッパ部２３７になっている。シーソー用ストッパ部２３７の上端のストッパ当接面２３７Ｓは、前側摺接面２３６Ａに向かって下るように若干傾斜している（図８参照）となっている。
【００８９】
図５に示すように、各扉駆動突壁２３３は、前後方向の中間位置に中間陥没部２３３Ｋを備え、その中間陥没部２３３Ｋより前側が本発明に係る前側押圧突部２４１となり、中間陥没部２３３Ｋより後側が本発明に係る後側押圧突部２４２になっている。後側押圧突部２４２は動力受部２３０Ｐと同じ高さをなし、前側押圧突部２４１は、動力受部２３０Ｐより低くなっている。また、中間陥没部２３３Ｋの底面は、水平で平坦な中間陥没平坦面２３３Ｎになっている。そして、前側押圧突部２４１の後面は、本発明に係る閉塞押圧部２４１Ｋになっていて、中間陥没平坦面２３３Ｎから垂直に立ち上がっている。また、前側押圧突部２４１の上面は、本発明に係る扉用ストッパ部２４１Ｊになっていて、水平平坦になっている。一方、後側押圧突部２４２の前面は、本発明に係る開放押圧部２４２Ｚになっていて、これも中間陥没平坦面２３３Ｎから垂直に立ち上がっている。なお、前側押圧突部２４１の前面は、後面である閉塞押圧部２４１Ｋと平行になっていて途中からなだらかに前側に傾斜して、前述した外下り傾斜面２４０Ｓ，２４０Ｓの後端まで延びている。
【００９０】
可動舌片２３０における連結凹部２３４，２３４には、シーソー部材２５０の下端部が係合し、可動舌片２３０における扉駆動突壁２３３，２３３には、回動扉２２０の扉回動突部２２４，２２４がそれぞれ係合している。これにより、可動舌片２３０がシーソー部材２５０を介してソレノイド２７０から動力を受けて駆動され、その可動舌片２３０から回動扉２２０が動力を受けて駆動される。
【００９１】
最初に、シーソー部材２５０から可動舌片２３０への動力の伝達について説明する。可動舌片２３０の各連結凹部２３４，２３４のうち各干渉回避凹部２３５，２３５にシーソー部材２５０の各連結アーム２５１，２５１が受容されると共に、各連結凹部２３４，２３４の各係合溝部２３６，２３６に、各連結アーム２５１，２５１の下端連結凸部２５５，２５５が係合される。
【００９２】
ここで、ソレノイド２７０が、励磁されていない状態では、図１７に示すようにプランジャ２７４が前方に突出して、このとき下端連結凸部２５５，２５５は、係合溝部２３６，２３６の下端部に位置している。このとき、可動舌片２３０は、直動可能範囲の後端位置（本発明に係る「後端退避位置」に相当する）に配置され、出没突片部２４０はサイド始動入賞口４０Ａの奥側に退避している。この状態からソレノイド２７０が励磁されてプランジャ２７４が後方に吸引されると、シーソー部材２５０が回動軸部２５３，２５３を中心に回動して、連結アーム２５１，２５１が前方に向かって回動し、これにより、下端連結凸部２５５，２５５が、前側摺接面２３６Ａ，２３６Ａに摺接しながらそれら前側摺接面２３６Ａ，２３６Ａを前方に押圧する。これにより、可動舌片２３０が遊技機前方に押し出されて、図１８に示すように、出没突片部２４０がサイド始動入賞口４０Ａから遊技板１１の前面側に突出する。そして、例えば、可動舌片２３０におけるベース部２３１の端面が、サイド始動入賞口４０Ａの開口縁に後面側から当接して、可動舌片２３０が本発明に係る「前端作動位置」に位置決めされて停止し、出没突片部２４０がサイド始動入賞口４０Ａから最大限に突出した状態になる（図１９参照）。
【００９３】
可動舌片２３０が前端作動位置に配置された状態（図１９の状態）で、ソレノイド２７０の励磁が停止されると、圧縮コイルバネ２７６によってプランジャ２７４が前方に突出する。すると、シーソー部材２５０の下端部が回動軸部２５３，２５３を中心にして遊技機後方に回動し、シーソー部材２５０の下端部が、回動軸部２５３，２５３より前方位置から後方位置まで移動する。このとき、下端連結凸部２５５，２５５が係合溝部２３６，２３６の後側摺接面２３６Ｂ，２３６Ｂと摺接して後方に押す。これにより、可動舌片２３０が、遊技機後方に引き込まれて、出没突片部２４０がサイド始動入賞口４０Ａの奥側に退避する（図２０参照）。
【００９４】
詳細には、ソレノイド２７０の励磁が停止されて、シーソー部材２５０における連結アーム２５１，２５１の下端部が後方に向かって回動すると、図２２（Ａ）〜同図（Ｄ）への変化に示すように、最初に、下端連結凸部２５５に備えたストッパ凹部２５８の上側エッジ部Ｅ１（第１平面Ｍ１の後端縁）が、シーソー用ストッパ部２３７のストッパ当接面２３７Ｓに当接する（図２２（Ａ）参照）。そして、シーソー部材２５０の回動に伴って下端連結凸部２５５が後側摺接面２３６Ｂに摺接し、下端連結凸部２５５がシーソー部材２５０の回動軸部２５３，２５３よりも後方に位置したときに、ストッパ凹部２５８の下側エッジ部Ｅ２（第２平面Ｍ２の下端縁）が、後側摺接面２３６Ｂのうちシーソー用ストッパ部２３７より下側部分に当接して、係合溝部２３６，２３６の後側摺接面２３６Ｂ，２３６Ｂを後方に押す。これにより、圧縮コイルバネ２７６の弾発力によって可動舌片２３０を初期位置（後端退避位置）まで戻すことができる。
【００９５】
ところで、サイド始動入賞口４０Ａの奥部に退避している可動舌片２３０を、例えば、遊技機の隙間から挿入した針金等で遊技板１１の前面に引っ張り出すという不正行為が行われた場合、以下のようになる。即ち、ソレノイド２７０からシーソー部材２５０に動力が伝達されず、可動舌片２３０からシーソー部材２５０の動力が伝達され、シーソー部材２５０の連結アーム２５１，２５１が係合溝部２３６における後側摺接面２３６Ｂによって前方に押されると、図２２（Ｄ）から図２２（Ｃ）の変化に示すように、下端連結凸部２５５，２５５の各ストッパ凹部２５８，２５８における第１平面Ｍ１と、シーソー用ストッパ部２３７のストッパ当接面２３７Ｓとが面当接する。この状態から、さらに可動舌片２３０を前方に引っ張ると、その引っ張る力が、段差部２３７のストッパ当接面２３７Ｓに直交する上向きの力Ｆ１となって、第１平面Ｍ１の中心と回動軸部２５３の中心とを結ぶ方向とほぼ平行な方向、即ち、ストッパ凹部２５８の回動方向とほぼ直交する方向を向く。これにより、シーソー部材２５０の回動が規制され、可動舌片２３０を手前に引っ張って出没突片部２４０をサイド始動入賞口４０Ａの前方に突出させることが不可能となる。また、仮に、上向きの力Ｆ１によってシーソー部材２５０が斜め上方に若干持ち上げられても、シーソー部材２５０の連絡壁２５２に形成された三角突条２５７が、プランジャ２７４のフランジ部２７４Ｆと係合する。これにより、シーソー部材２５０の回動が、より確実に禁止される。
【００９６】
次に、可動舌片２３０から回動扉２２０への動力の伝達について説明する。可動舌片２３０の扉駆動突壁２３３，２３３には、回動扉２２０の扉回動突部２２４，２２４がそれぞれ係合して、これにより、回動扉２２０が可動舌片２３０から動力を受けて回動する。具体的には、可動舌片２３０が後端退避位置に配置され、出没突片部２４０全体がサイド始動入賞口４０Ａの奥側に退避している状態では、扉回動突部２２４は、前側押圧突部２４１における扉用ストッパ部２４１Ｊの上方に配置されている（図１７の状態）。このとき、回動扉２２０の回動軸部２２３は、扉回動突部２２４より斜め前方に位置している。このとき、扉回動突部２２４の下端部と後側押圧突部２４２の開放押圧部２４２Ｚとの間に、本発明に係る第１の空間Ｓ１が形成される。  
【００９７】
そして、可動舌片２３０が後端退避位置から前進すると、図１７〜図１９への変化に示すように、前側押圧突部２４１が前方へ移動して、扉回動突部２２４の下端部と前側押圧突部２４１の扉用ストッパ部２４１Ｊとが上下方向で対向しなくなると共に、扉回動突部２２４の下端部が中間陥没平坦面２３３Ｎと上下方向で対向してその中間陥没平坦面２３３Ｎとの間には、扉回動突部２２４の回動空間が確保される。
【００９８】
そして、可動舌片２３０がさらに前方に向かって移動すると、扉回動突部２２４の下端部は、前記した第１の空間Ｓ１を移動し、この間、可動舌片２３０は前進するが回動扉２２０が停止した状態に維持される。そして、図１８に示すように、可動舌片２３０の出没突片部２４０がサイド始動入賞口４０Ａから所定量だけ突出したときに、扉回動突部２２４の下端部が後側押圧突部２４２の前面２４２Ｚに当接する。そして、さらに可動舌片２３０が前進することで、回動扉２２０の扉主体壁２２２Ａが持ち上げられ、サイド始動入賞口４０Ａが開放されていき（図１８、図１９参照）、可動舌片２３０が前端作動位置に到達したときに回動扉２２０が全開状態になって、サイド始動入賞口４０Ａに遊技球が入賞可能になる。より詳細には、回動扉２２０は、後側押圧突部２４２に押されて一定角度回転すると、自重により開放端位置へ向けて回動する。すなわち、回動扉２２０は、出没突片部２４０がサイド始動入賞口４０Ａから約半分程度突出したときに、回動動作を開始し、出没突片部２４０が約半分程度突出してから完全に突出するまでの比較的短期間の間に、サイド始動入賞口４０Ａが全閉状態から全開状態になる。このように本実施形態では、可動舌片２３０が前進を開始して途中までは回動扉２２０が停止していて、途中から回動扉２２０が開き始めるという、２ステップの動作で前面開放入賞口４０Ａが開放される。そして、サイド始動入賞口４０Ａから突出した出没突片部２４０の上面に遊技球が落下したとき、その遊技球が出没突片部２４０に案内されてサイド始動入賞口４０Ａへと入賞し、入賞した遊技球は、検出スイッチ２８０（図１５参照）によって検出される。
【００９９】
また、回動扉２２０が完全に開放した状態では、図１９に示すように、側部壁２２１の位置決め当接部２２５が後側押圧突部２４２の上面と当接し、回動扉２２０が開放端位置に位置決めされる。これにより、回動扉２２０のがたつきが規制される。また、この状態で、扉回動突部２２４の下端部と後側押圧突部２４２の開放押圧部２４２Ｚとの間には、本発明に係る第２の空間Ｓ２が形成される。
【０１００】
また、可動舌片２３０が前端作動位置から後退すると、図１９〜図２０への変化に示すように、前側押圧突部２４１が後方へ移動する。このとき、扉回動突部２２４の下端部は、第２の空間Ｓ２内を前側押圧突部２４１に向かって相対的に移動する。これにより、可動舌片２３０における出没突片部２４０の一部が前面開放入賞口４０Ａ内に移動する（扉回動突部２２４が開放押圧部２４２Ｚに当接した状態から閉塞押圧部２４１Ｋに当接するまで第２の空間Ｓ２内を移動する）間は、回動扉２２０は開いた状態に維持される。そして、可動舌片２３０が所定量（扉回動突部２２４が開放押圧部２４２Ｚに当接した状態から閉塞押圧部２４１Ｋに当接するまで第２の空間Ｓ２内を移動する距離）だけ前面開放入賞口４０Ａ内に移動したときに、前側押圧突部２４１の閉塞押圧部２４１Ｋが扉回動突部２２４の下端部と当接する。このとき、可動舌片２３０の出没突片部２４０は、サイド始動入賞口４０Ａ内に約半分程度収容されている。そして、さらに可動舌片２３０が後退すると、その可動舌片２３０の後退に伴って回動扉２２０が閉じるように動作して、出没突片部２４０が完全に退避した時点で、回動扉２２０がサイド始動入賞口４０Ａを完全に閉鎖して停止し、そのサイド始動入賞口４０Ａの奥側で可動舌片２３０がさらに後退して扉回動突部２２４の下端部が扉用ストッパ部２４１Ｊと上下方向で対向した初期状態に戻る。このように、本実施形態では、可動舌片２３０が後退を開始して途中までは回動扉２２０が停止していて、途中から回動扉２２０が閉じ始めるという２ステップの動作で前面開放入賞口４０Ａが閉じられる。
【０１０１】
ところで、サイド始動入賞口４０Ａが閉塞された状態（図１７の状態）で、例えば、針金等で回動扉２２０をこじ開けようとすると、扉回動突部２２４が開放する側に回動して、前側押圧突部２４１の扉用ストッパ部２４１Ｊと上下方向で当接する。これにより、回動扉２２０の不正な開放が禁止される。ここで、扉回動突部２２４が前側押圧突部２４１の扉用ストッパ部２４１Ｊを押す力の向きは上下方向になっていて、可動舌片２３０の可動方向（前後方向）と直交しているので、回動扉２２０に不正な外力が加えられたときに、可動舌片２３０の扉用ストッパ部２４１Ｊは、可動方向に動かされずに、回動扉２２０の不正な開放を確実に防止することができる。
【０１０２】
本実施形態のパチンコ遊技機１０の構成に関する説明は以上である。次に、本実施形態のパチンコ遊技機１０の作用効果について説明する。操作ノブ２８を操作して複数の遊技球を、順次、遊技領域Ｒ１に打ち込むと、それら遊技球の一部は遊技領域Ｒ１のうち表示枠体２３の上方領域から左側の側方領域を流下する。そして、それら遊技球は下方へと流下する。そして、遊技球が中央始動入賞口１４や一般入賞口２０，２１に入賞すると、賞球が上皿２７Ａに払い出される。また、中央始動入賞口１４に入賞すると、中央可動扉１５Ｔを開くか否かの抽選（当否判定）が行われ、その抽選結果が当たりであると、中央可動扉１５Ｔが開き、表示枠体２３の下方領域を流下する遊技球の多くが中央大入賞口１５に入賞可能となる。
【０１０３】
また、遊技領域Ｒ１に打ち込まれた遊技球の一部は、表示枠体２３の上部右側部分とガイドレール１２との間の狭い領域を１球ずつ通過して、表示枠体２３の側方領域の上端部に到る。そして、関所部Ｒ２を通過して表示枠体２３の側方領域を遊技球が１球ずつ流下する。そして、表示枠体２３の右側の側方領域の上端部では、まず、遊技球が、始動ゲート１８の内側を通過するか否かに分かれる。ここで、始動ゲート１８の内側を遊技球が通過すると、サイド始動入賞口４０Ａに入賞可能とするか否かの抽選が行われ、その抽選結果が当たりであれば、所定期間（例えば、通常遊技状態では０．０８８秒間を１回、時短遊技状態では１．７秒を３回）に亘ってサイド始動入賞口４０Ａへの入賞が可能になる。そして、サイド始動入賞口４０Ａに入賞すると、サイドメイン可動扉３７Ｔを開くか、中央可動扉１５Ｔを開くか否かの抽選を行う。そして、サイドメイン可動扉３７Ｔが開き透明ケース３８の継続入賞口に入球してから中央可動扉１５Ｔが開いたり、中央可動扉１５Ｔが抽選により直接開くと、中央大入賞口１５への大量の遊技球の入球が可能になり、多くの賞球を得ることができる。
【０１０４】
ここで、サイド始動入賞口４０Ａに入賞可能とするか否かの抽選結果が当たりである場合には、可動舌片２３０がサイド始動入賞口４０Ａの前方に前進して遊技球をサイド始動入賞口４０Ａへ案内し、サイド始動入賞口４０Ａを開放する回動扉２２０が開く。このように、本実施形態では、サイド始動入賞口４０Ａを開放する回動扉２２０とは別個の可動舌片２３０が遊技球をサイド始動入賞口４０Ａへ案内するという従来にはない動作で遊技球を入球させることができ、遊技の趣向性を高めることができる。また、サイド始動入賞口４０Ａの開放が、可動舌片２３０が前進して、その前進の途中から回動扉２２０が開き始めるという２ステップの動作で行われるので、両方の動作に興味を持たせることができる。しかも、本実施形態の構成によれば、可動舌片２３０が遊技球を受け止め可能になるまでは遊技球の入賞を防ぐことができる。さらに、出没突片部２４０の側部に遊技球が受け止められた場合には、その遊技球は外側にはじかれてサイド始動入賞口４０Ａに入球しないが、出没突片部２４０中間部に遊技球が受け止められた場合には、遊技球は出没突片部２４０の幅方向の中央に集められてサイド始動入賞口４０Ａの奥側へ案内されるので、出没突片部２４０のどの位置で遊技球が受け止められるかについて遊技者に興味を持たせることができる。
【０１０５】
また、可動舌片２３０が突出してから所定期間が経過すると、可動舌片２３０が後退してサイド始動入賞口４０Ａ内にある程度収容された後、回動扉２２０が閉まってサイド始動入賞口４０Ａへの入球が規制される。このように、本実施形態では、サイド始動入賞口４０Ａの閉塞が従来にはない新規な動作で行われるので、新鮮味を遊技者に与えて、趣向性を高めることができる。ここで仮に、回動扉２２０の扉主体壁２２２Ａが開放端位置から鉛直下方に移動して閉まると、可動舌片２３０が後退する途中で出没突片部２４０に受け止められた遊技球が扉主体壁２２２Ａによって外側にはじかれる可能性がある。しかしながら、本実施形態では、扉主体壁２２２Ａが回動軸部２２３を中心にしてサイド始動入賞口４０Ａの奥側に遊技球を掻き込むように回動するので、遊技球を入賞させ易くして遊技者を喜ばせることができる。
【０１０６】
ところで、このパチンコ遊技機１０では、サイド始動入賞口４０Ａが閉まった状態（図１７参照）で、回動扉２２０を不正にこじ開けて、その状態で遊技を行ってサイド始動入賞口４０Ａに遊技球を入球させ、賞球を取得するという不正行為が行われる可能性がある。しかしながら、本実施形態では、前述の如く、サイド始動入賞口４０Ａが閉まっているとき、扉回動突部２２４の回動が扉用ストッパ部２４１Ｊによって規制されるので、このような不正行為が防がれる。しかも、扉回動突部２２４を回動扉２２０の両側部に、扉用ストッパ部２４１Ｊを可動舌片２３０の両側部に、それぞれ対にして配置したので、それら扉回動突部２２４、扉用ストッパ部２４１Ｊを１組だけ設けた場合に比べて負荷が分散されて変形が防がれる。
【０１０７】
また、可動舌片２３０を不正に引っ張り出して、その状態で遊技を行ってサイド始動入賞口４０Ａに遊技球を入球させて、賞球を取得するという不正行為が行われる可能性もあるが、本実施形態では、可動舌片２３０を不正に引っ張ってもシーソー用ストッパ部２３７がシーソー部材２５０の回動を規制するので、このような不正行為をも防ぐことができる。
【０１０８】
このように、本実施形態のパチンコ遊技機１０では、サイド始動入賞口４０Ａを開閉する回動扉２２０ではなく、可動舌片２３０を案内にして遊技球をサイド始動入賞口４０Ａに取り込むという新鮮な動作を経て、遊技球の入賞が行われるので、遊技の趣向性を高めることができる。しかも、サイド始動入賞口４０Ａが閉塞した状態で不正に回動扉２２０を開けようとしても、扉用ストッパ部２４１Ｊが回動扉２２０の開動作を規制するので、回動扉２２０の不正な開放を防止することができる。
【０１０９】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【０１１０】
（１）図２５に示すように、可動舌片２３０Ｖの側部壁２３３Ｖに前後方向の中間部で底面が段突き状になった突部受容凹部２９０を陥没形成し、その突部受容凹部２９０に扉回動突部２２４が受容されるようにしてもよい。この場合、突部受容凹部２９０の後側の内側面が開放押圧部２９２Ｋに、底面の段付き部分が閉塞押圧部２９１Ｚに、底面のうち段突き部分より前側が扉用ストッパ部２９１Ｊになっている。
【０１１１】
（２）図２６に示すように、可動舌片２３０の側壁部２３３Ｗを横方向に貫通する断面Ｌ字形状の係止孔２９５を設け、回動扉２２０の側部壁２２１Ｗから外側に向かって側方に張り出した扉回動突部２２４Ｗが係止孔２９５に遊嵌されるようにしてもよい。
【０１１２】
（３）前記実施形態では、前側押圧突部２４１と後側押圧突部２４２とが備えられていたが、前側押圧突部２４１だけが備えられていてもよい。この場合であっても、趣向性を高めることができ、回動扉２２０の不正な開放を防ぐことができる。
【０１１３】
（４）前記実施形態では、回動扉２２０が、直動する可動舌片２３０に直接押されて回動する構成であったが、回動扉２２０と可動舌片２３０との間に、例えば、ギアを設け、回動扉２２０がギアを介して回動する構成であってもよい。
【０１１４】
（５）前記実施形態では、可動舌片２３０を進退させる駆動源と、回動扉２２０を回動させる駆動源とを共通のソレノイド２７０で兼用させていたが、別個の駆動源を備えた構成であってもよい。なお、この場合に比べて、前記実施形態の方がコストダウンを図ることができる。
【０１１５】
（６）前記実施形態では、回動扉２２０が閉まり始めるタイミングが、可動舌片２３０の出没突片部２４０がサイド始動入賞口４０Ａ内に完全に収容される前であったが、出没突片部２４０がサイド始動入賞口４０Ａの奥側に完全に退避した時或いは退避した後であってもよい。この構成によれば、可動舌片２３０に受け止められた遊技球と回動扉２２０の扉主体壁２２２Ａの先端との噛み込みを防ぐことができる。なお、このような構成は、閉塞押圧部２４１Ｋを前記実施形態よりも前側に配置したり、扉回動突部２２４の先端部を円弧状に形成して閉塞押圧部２４１Ｋとの当接を遅らせることで実現することができる。
【符号の説明】
【０１１６】
１０    パチンコ遊技機
１１    遊技板
４０    遊技球導入孔
４０Ａ    サイド始動入賞口（前面開放入賞口）
２００    入賞機構ユニット
２２０    回動扉
２２２    シャッター部
２２１，２２１Ｗ    側部壁
２２２Ａ    扉主体壁
２２２Ｂ    入賞補助壁
２２４，２２４Ｗ    扉回動突部
２２５    位置決め当接部
２３０，２３０Ｖ，２３０Ｗ    可動舌片
２３６Ａ    前側摺接面
２３６Ｂ    後側摺接面
２３７    シーソー用ストッパ部
２４０    出没突片部
２４０Ｓ    外下り傾斜面
２４０Ｈ    引き込み傾斜面
２４１    前側押圧突部
２４１Ｊ，２９１Ｊ    扉用ストッパ部
２４１Ｋ，２９１Ｋ    閉塞押圧部
２４２    後側押圧突部
２４２Ｚ，２９２Ｚ    開放押圧部
２５０    シーソー部材
２５８    ストッパ凹部
２７０    ソレノイド（直動駆動源）
２７４    プランジャ（直動部材）
Ｓ１    第１の空間
Ｓ２    第２の空間
【図１】
2011050444.tif 000003
【図２】
2011050444.tif 000004
【図３】
2011050444.tif 000005
【図４】
2011050444.tif 000006
【図５】
2011050444.tif 000007
【図６】
2011050444.tif 000008
【図７】
2011050444.tif 000009
【図８】
2011050444.tif 000010
【図９】
2011050444.tif 000011
【図１０】
2011050444.tif 000012
【図１１】
2011050444.tif 000013
【図１２】
2011050444.tif 000014
【図１３】
2011050444.tif 000015
【図１４】
2011050444.tif 000016
【図１５】
2011050444.tif 000017
【図１６】
2011050444.tif 000018
【図１７】
2011050444.tif 000019
【図１８】
2011050444.tif 000020
【図１９】
2011050444.tif 000021
【図２０】
2011050444.tif 000022
【図２１】
2011050444.tif 000023
【図２２】
2011050444.tif 000024
【図２３】
2011050444.tif 000025
【図２４】
2011050444.tif 000026
【図２５】
2011050444.tif 000027
【図２６】
2011050444.tif 000028